(57)【要約】【課題】縦孔の内壁を適切な形状に拡底可能としつつ、製品コストの削減と掘削性能の確保とを図ることができる拡底バケットを提供すること。【解決手段】枠体３０に対して昇降移動するスラスタ５０と、そのスラスタ５０の昇降移動によって拡径縮径する拡底翼６０とを備え、その拡底翼６０は、平板を湾曲させた形状に形成され、展開した状態において側面視略直角三角形状に構成されている。その直角に構成された角に対向する辺である斜辺６１ａは、その他の辺側へ凹んだ弓型形状に構成されており、端面６１ｄに爪部６２の底面６２ａが取り付けられている。よって、翼部６１に対する爪部６２の位置決め手間を低減することができると共に拡底翼６０が拡径していく過程において爪部６２の先端部６２ｃを縦孔の内壁に当接させることができる。その結果、製品コストの削減と掘削性能の確保とを図ることができる。【選択図】図３
2010180570.tif 000002
【特許請求の範囲】
【請求項１】
複数の爪と、それら複数の爪が取着される拡底翼と、その拡底翼が回動可能に連結される本体と、その本体に対して前記拡底翼を開閉させる開閉機構と、を備え、縦孔内に挿入され、前記拡底翼を拡径しつつ前記本体が回転することで、前記縦孔の内壁を前記複数の爪により掘削する拡底バケットにおいて、
前記拡底翼は、前記本体の外周形状に対応する円弧状に湾曲した板状体を備え、その板状体の一方の端縁部に前記複数の爪が列設されると共に、前記板状体の他方の端縁部が前記本体に回動可能に連結され、
前記複数の爪がそれぞれの長手方向を前記円弧の接線方向へ向けた状態で前記板状体の一方の端縁部に取着され、かつ、前記板状体の一方の端縁部が前記他方の端縁部側へ向けて凹の曲線状に構成されていることを特徴とする拡底バケット。
【請求項２】
前記板状体は、前記一方の端縁部の曲線形状が、複数の直線を組み合わせた近似的な曲線形状とされることで、前記一方の端縁部における端面が複数の平坦面から構成され、
前記複数の爪は、その基部側の端面を、前記板状体の一方の端縁部における端面に当接させた状態で、前記板状体に取着されていることを特徴とする請求項１記載の拡底バケット。
【発明の詳細な説明】
【技術分野】
【０００１】
本発明は、拡底バケットに関し、特に、縦孔の内壁を適切な形状に拡底可能としつつ、製品コストの削減と掘削性能の確保とを図ることができる拡底バケットに関するものである。
【背景技術】
【０００２】
先端拡大形状の杭を施工する場合に使用される拡底バケットが、例えば、特公昭６３−６５７９７号公報に開示されている。この拡底バケットによれば、複数の掘削刃（爪）を設けた拡大翼（拡底翼）３２が、円筒状のケース（本体）３０の開口部に蝶番により開閉可能に取り付けられ、開閉機構からの駆動力により拡大翼３２が開閉するように構成されている。
【０００３】
このように構成された拡底バケットによる拡底作業は、拡底翼を閉じて縮径した状態で拡底バケットを地表から縦孔の先端に降ろし、その拡底バケットを回転させつつ、拡底翼を徐々に開いて拡径させることで、縦孔の孔壁（内壁）を拡底翼の爪で掘削し、縦孔の先端（底部）をテーパー形状に拡大（拡底）する。
【先行技術文献】
【特許文献】
【０００４】
【特許文献１】特公昭６３−６５７９７号公報（第７図から第９図など）
【発明の概要】
【発明が解決しようとする課題】
【０００５】
ここで、拡底翼への複数の爪の取り付けは、拡底翼に対する各爪の取り付け角度をそれぞれ同じ角度とすることで、好適な掘削角度を確保しつつ取り付け作業の工数低減を図ることができる。しかしながら、この場合には、各爪で縦孔の内壁を掘削すると、掘削後の内壁の中途の形状が膨らむという問題点があった。この内壁の膨らみは、縦孔内に打設するコンクリートの量を増加させる。そのため、従来の拡底バケットでは、拡底翼に対する各爪の取り付け角度をそれぞれ個別に調整することで、掘削後の内壁形状（直線状のテーパ形状）を確保していた。
【０００６】
しかしながら、この場合には、各爪の取り付け角度の調整が煩雑であると共に、爪の取り付け角度を調整するための形状の異なる治具や入れ子（拡底翼と爪との間に介在させる調整用部材）が多数必要となるため、取り付けコストや部品コストが嵩み、その分、拡底バケット全体としての製品コストが増加するという問題点があった。
【０００７】
また、掘削後の内壁形状の確保を優先した結果、各爪に好適な掘削角度を付与することができないため、掘削能率の低下を招くという問題点があった。更に、拡底翼の拡径量によっては、内壁へ先端が当接しない爪や内壁へ先端よりも胴部が先に当接する爪が発生し、爪が早期摩耗するばかりか、掘削が不能になるという問題点があった。
【０００８】
本発明は、上述した問題点を解決するためになされたものであり、縦孔の内壁を適切な形状に拡底可能としつつ、製品コストの削減と掘削性能の確保とを図ることができる拡底バケットを提供することを目的としている。
【課題を解決するための手段】
【０００９】
この目的を達成するために請求項１記載の拡底バケットは、複数の爪と、それら複数の爪が取着される拡底翼と、その拡底翼が回動可能に連結される本体と、その本体に対して前記拡底翼を開閉させる開閉機構と、を備え、縦孔内に挿入され、前記拡底翼を拡径しつつ前記本体が回転することで、前記縦孔の内壁を前記複数の爪により掘削するものであり、前記拡底翼は、前記本体の外周形状に対応する円弧状に湾曲した板状体を備え、その板状体の一方の端縁部に前記複数の爪が列設されると共に、前記板状体の他方の端縁部が前記本体に回動可能に連結され、前記複数の爪がそれぞれの長手方向を前記円弧の接線方向へ向けた状態で前記板状体の一方の端縁部に取着され、かつ、前記板状体の一方の端縁部が前記他方の端縁部側へ向けて凹の曲線状に構成されている。
【００１０】
請求項２記載の拡底バケットは、請求項１記載の拡底バケットにおいて、前記板状体は、前記一方の端縁部の曲線形状が、複数の直線を組み合わせた近似的な曲線形状とされることで、前記一方の端縁部における端面が複数の平坦面から構成され、前記複数の爪は、その基部側の端面を、前記板状体の一方の端縁部における端面に当接させた状態で、前記板状体に取着されている。
【発明の効果】
【００１１】
請求項１記載の拡底バケットによれば、開閉機構によって拡底翼が閉じられて縮径された状態とされると、かかる状態の拡底バケットが地表から縦孔の先端に降ろされ、ケリーバによって回転される。そして、開閉機構によって拡底翼が徐々に開かれて拡径されることで、縦孔の内壁が拡底翼の複数の爪により掘削され、縦孔の先端（底部）がテーパー形状に拡大（拡底）される。
【００１２】
この場合、本発明によれば、拡底翼（板状体）の一方の端縁部に、複数の爪をそれぞれの長手方向が拡底翼の円弧の接線方向へ向いた状態で取着する構成であるので、各爪の掘削角度を好適な角度して、掘削能率の向上を図ることができるので、掘削性能を確保することができるという効果がある。
【００１３】
また、拡底翼の開度が変化しても、各爪の掘削角度を好適な角度に維持することができ、各爪の取り付け角度が個別に調整された従来品のように、内壁へ先端が当接しない爪や内壁へ先端よりも胴部が先に当接する爪が発生することがなく、爪の早期摩耗や掘削不能となる事態を回避することができるので、掘削性能を確保することができるという効果がある。
【００１４】
更に、本発明によれば、このように、拡底翼に各爪をそれぞれが接線方向を向いた状態で取着することで、掘削性能を確保しつつも、これら複数の爪が取着される一方の端縁部を他方の端縁部側へ向けて凹の曲線状とする構成であるので、掘削後の内壁の中途の形状が膨らむことを抑制して、かかる縦孔の内壁を適切な形状（直線状のテーパ形状）に掘削することができるという効果がある。その結果、打設するコンクリートの量が不必要に増加することを抑制することができる。
【００１５】
ここで、本発明によれば、上述したように、拡底翼（板状体）の一方の端縁部を他方の端縁部側へ向けて凹の曲線状とし、かかる一方の端縁部に、複数の爪をそれぞれの長手方向が拡底翼の円弧の接線方向へ向いた状態で取着する構成であるので、縦孔の内壁を適切な形状に拡底可能とし、かつ、掘削性能の確保を図りつつ、拡底翼に対する複数の爪の取り付け状態をそれぞれ同じ状態とすることができる。その結果、従来品のように、各爪の取り付け角度をそれぞれ個別に調整する必要がなく、よって、各爪の取り付け角度を調整するための形状の異なる治具や入れ子を多数準備する必要もないので（例えば、各爪に共通の１種類分の準備で足りる）、その分、取り付けコストや部品コストを削減して、拡底バケット全体としての製品コストの削減を図ることができるという効果がある。
【００１６】
請求項２記載の拡底バケットによれば、請求項１記載の拡底バケットの奏する効果に加え、板状体の一方の端縁部の曲線形状を、複数の直線を組み合わせた近似的な曲線形状とすることで、一方の端縁部における端面を複数の平坦面から構成し、爪の基部側の端面と板状体の一方の端縁部における端面とを当接させた状態で、爪を板状体に取着する構成であるので、その取り付け作業を簡素化して、その分、拡底バケット全体としての製品コストの削減を図ることができるという効果がある。
【００１７】
即ち、本発明によれば、板状体の一方の端縁部における端面が複数の平坦面からなる構成であるので、爪の基部における端面も平坦面に形成すれば良く、曲面形状とする必要がない。よって、爪の基部の加工を簡素化して、加工コストの削減を図ることができるので、その分、拡底バケット全体としての製品コストの削減を図ることができる。
【００１８】
また、本発明によれば、上述したように、爪と板状体との端面同士を直接当接させて接合する構成であるので、従来品のように、各爪の取り付け角度をそれぞれ個別に調整する必要がなく、よって、各爪の取り付け角度を調整するための形状の異なる治具や入れ子を多数準備する必要もないので（少なくとも入れ子を不要とすることができる）、その分、取り付けコストや部品コストを削減して、拡底バケット全体としての製品コストの削減を図ることができるという効果がある。
【図面の簡単な説明】
【００１９】
【図１】本発明の一実施の形態におけるアースドリル機の側面を示した側面図である。
【図２】（ａ）は、縮径した状態における拡底バケットの側面図であり、（ｂ）は、拡径した状態における拡底バケットの側面図である。（ｃ）は、図２（ｂ）のＩＩｃ−ＩＩｃ線における拡底バケットの断面図である。
【図３】（ａ）は、拡底翼の展開図であり、（ｂ）は、翼部の展開図である。
【図４】拡底バケットが掘削する拡底孔の断面形状と、拡底バケットの拡底翼を展開した側面形状との関係を示した関係図である。
【図５】（ａ）は、拡底バケットの上面を模式的に示した上面模式図であり、（ｂ）は、図５（ａ）のＶｂ部を拡大して示した拡底翼の部分拡大図であり、（ｃ）は、拡底バケットの上面を模式的に示した上面模式図であり、（ｄ）は、図５（ｃ）のＶｄ部を拡大して示した拡底翼の部分拡大図である。
【発明を実施するための形態】
【００２０】
以下、本発明の好ましい実施形態について、添付図面を参照して説明する。まず、図１を参照して、拡底バケット１９を備えるアースドリル機１について説明する。図１は、本発明の一実施の形態におけるアースドリル機１の側面を示した側面図であり、理解を容易とするために、拡底バケット１９が拡径した状態を示している。
【００２１】
図１に示すように、第１実施の形態のアースドリル機１は、杭を成形するための拡底孔Ｋ（図４参照）を掘削する作業を行なうものであり、具体的には、掘削された縦孔の底部にその縦孔より大きな径を有する空間を掘削するものである。この掘削作業は、アースドリル工法の一工程であり、底部のみを大きな径で掘削することで、縦孔全体を大きな径で掘削する場合に比べて、掘削土量および縦孔に注入するコンクリート量を少なくして、工期短縮、工費削減を可能とする。
【００２２】
図１に示すように、アースドリル機１は、主に、走行可能な下部本体１１と、その下部本体１１に対して旋回可能な上部旋回体１２と、その上部旋回体１２に対して起立した状態で取り付けられるブーム１３と、そのブーム１３に設けられたフロントフレーム部１４と、ブーム１３の上部（図１上方の端部）に吊設される棒状のケリーバ１５と、そのケリーバ１５を回転駆動させると共にフロントフレーム部１４に連結されるケリーバ駆動装置１６と、そのケリーバ駆動装置１６の下方に連結され後述する一対の油圧アクチュエータ２１（図２参照）に油を供給する油圧ホース（図示せず）の巻き取り又は巻き出しを行なうホースリール１７と、そのホースリール１７が搭載されたホースリール台１８と、ケリーバ１５の下方先端（図１下方先端）に連結され、ケリーバ１５の回転に伴って回転動作を行なう拡底バケット１９と、その拡底バケット１９側とケリーバ駆動装置１６側とにおいて油を供給するロータリージョイント２０とを有して構成されている。
【００２３】
なお、ロータリージョイント２０は、拡底バケット１９に設けられた油圧アクチュエータ２１（図２（ａ）及び図２（ｂ）参照）に油を供給するために設けられており、制御装置にてポンプの駆動が制御されロータリージョイント２０へ供給される油の量が調整される。また、油圧アクチュエータ２１へ流れ込む油の量は、流量計測装置にて計測されており、油圧アクチュエータ２１へ流れ込んだ油の量によって、拡底バケット１９の拡大径Ｓ（図２（ｃ）参照）が推定される。なお、拡大径Ｓは、一対の拡底翼６０の一方の拡底翼６０の先端部６２ｃから他方の拡底翼６０の先端部６２ｃまでの距離を示している。
【００２４】
ロータリージョイント２０は、ホースリール台１８に固定された非回転の外筒と、その外筒の内部に回転自在に嵌合される内筒とで構成されており、外筒と内筒との間に溝状の流路が形成されている。なお、内筒の回転は、ケリーバ１５がケリーバ駆動装置１６により回転されることに伴って回転する。
【００２５】
次に、図２を参照して、拡底バケット１９の構成について説明する。図２（ａ）は、縮径した状態における拡底バケット１９の側面図であり、図２（ｂ）は、拡径した状態における拡底バケット１９の側面図である。図２（ｃ）は、図２（ｂ）のＩＩｃ−ＩＩｃ線における拡底バケット１９の断面図である。
【００２６】
また、図２（ａ）及び図２（ｂ）では、図面の簡素化のため、図示される計４個のリンク７０の内の１個のリング７０を除いて２点鎖線の直線にて示している。また、図２（ｃ）では、図２（ａ）に示す縮径した状態の拡底バケット１９を破線で示している。なお、図２（ａ）及び図２（ｂ）の側面図は、図２（ｃ）に示す矢印ＩＩｂ方向からの側面図である。
【００２７】
図２（ａ）及び図２（ｂ）に示すように、拡底バケット１９は、掘削された縦孔の底部に降ろされて、ケリーバ１５（図１参照）の回転に伴って回転動作を行ないながら、油圧アクチュエータ２１の伸張により拡底翼６０を拡径させつつ土砂を掘削し、油圧アクチュエータ２１の短縮により拡底翼６０を縮径させて掘削した土砂を枠体３０の内部に収容した状態で引き上げられることで、縦孔の底部を拡径するものである。
【００２８】
また、枠体３０に収容される土砂の体積より、大きな体積の空間を掘削する必要が有る場合には、複数回の上昇下降動作が行われ、拡底孔の径が徐々に拡大される。なお、掘削中は、縦孔の側面の崩れなどを防止する目的で、拡底孔Ｋ（図４参照）の内にベントナイトの安定液が充填される。
【００２９】
図２（ａ）から図２（ｃ）に示すように、拡底バケット１９は、主に、側面視（図２（ａ）紙面垂直方向視）長方形の外形を有する枠体として構成された枠体３０と、その枠体３０の両側（図２（ｃ）左右側）に配設されると共に枠体３０に揺動（回動）可能に取り付けられ拡底孔Ｋ（図４参照）を掘削する一対の拡底翼６０と、それら一対の拡底翼６０の間で枠体３０の上部（図２（ａ）上部）に嵌合されると共にピンＰによって枠体３０へ係止される筒状に構成されたロッド４０と、そのロッド４０に外嵌されロッド４０の長手方向（図２上下方向）に往復移動可能とされるスラスタ５０と、そのスラスタ５０と枠体３０の上部（図２（ａ）上部）とに連結され、ロータリージョイント２０から油圧配管２２を介して供給されたオイルの液圧によりロッド４０の長手方向に伸縮することでスラスタ５０を往復移動させる油圧アクチュエータ２１と、その油圧アクチュエータ２１によって往復移動されるスラスタ５０と拡底翼６０との間に介在してスラスタ５０の往復移動に連動して拡底翼６０を開閉動作させるリンク７０とを備えている。
【００３０】
図２に示すように、枠体３０は、側面視（図２（ａ）紙面垂直方向視）四角の枠形状に構成され、縦壁を形成する一対の外周壁３０ａと、それら一対の外周壁３０ａの上側端部（図２（ａ）及び図２（ｂ）下側端部）を連結する連結部３０ｂと、それら一対の外周壁３０ａの下側端部（図２（ａ）及び図２（ｂ）下側端部）を連結する皿部３０ｃとを備えている。なお、請求項１記載の「本体の外周形状」は、ロッド４０を回転の中心として１９が回転されることにより外周壁３０ａが描く軌跡をロッド４０の長手方向（図２（ｃ）紙面垂直方向）から見た形状に対応する。
【００３１】
次いで、図３を参照して、拡底翼６０の構成について説明する。図３（ａ）は、拡底翼６０の展開図であり、図３（ｂ）は、翼部６１の展開図である。拡底翼６０は、図３（ａ）に示すように、拡底翼６０の基体部として構成される翼部６１と、その翼部６１の外縁から突出される爪部６２と備えている。
【００３２】
翼部６１は、平板を湾曲させた形状（図２（ｃ）参照）に構成されており、図３（ｂ）に示すように、展開した状態において、側面視（図２紙面垂直方向視）略直角三角形状に構成されている。また、翼部６１の外縁部分は、主に、斜辺６１ａ、長辺６１ｂ及び短辺６１ｃにて形成されており、長辺６１ｂと短辺６１ｃとの成す角度が略直角に構成されている。
【００３３】
また、斜辺６１ａは、図３（ｂ）に示すように、長辺６１ｂ側（図３（ｂ）左側）へ凹んだ弓形形状（請求項１記載の「凹の曲線状」に対応する）に構成されており、その斜辺６１ａには、図３（ａ）に示すように、複数（本実施の形態では、２１個）の爪部６２が突出されている。
【００３４】
それら複数の爪部６２は、楔形形状に構成されており、斜辺６１ａに当接される面である底面６２ａ（図５（ｂ）及び図５（ｄ）参照）と、その底面６２ａの両側に一端側が接続され他端側が互いに接続される一対の斜面６２ｂ（図５（ｂ）及び図５（ｄ）参照）と、それら斜面６２ｂの接続部分として形成される先端部６２ｃ（図５（ｂ）及び図５（ｄ）参照）とを備えている。なお、爪部６２の断面形状（図５（ｂ）及び図５（ｄ）参照）は、二等辺三角形として構成されている。
【００３５】
爪部６２の底面６２ａ（図５（ｂ）及び図５（ｄ）参照）は、斜面６２ｂ（図５（ｂ）及び図５（ｄ）参照）が接続される両端からの中間線を中心面Ｅ（図５（ｂ）及び図５（ｄ）参照）に重ねつつ後述する斜辺６１ａの端面６１ｄ（図５（ｂ）及び図５（ｄ）参照）に当接された状態にて端面６１ｄへ溶接されている。
【００３６】
その端面６１ｄは、中心面Ｅ（図５（ｂ）及び図５（ｄ）参照）に直交して形成されているので、それら爪部６２の突出方向（底面６２ａから先端部６２ｃへ向かう方向、請求項１記載の「長手方向」に対応する方向）が上面視（図５紙面垂直方向視）において、仮想平面Ｆ（図５（ａ）及び図５（ａ）参照）に平行となる。
【００３７】
なお、この仮想平面Ｆは、翼部６１の外周面と内周面とから等距離の位置を繋げて形成された面である中心面Ｅ（図５参照）に接する平面であり、その中心面Ｅと仮想平面Ｆとが接する接線が後述する翼部６１の端面６１ｄと中心面Ｅとの交線Ｔ５に一致される。
【００３８】
即ち、翼部６１の斜辺６１ａ側の外縁を形成する面である端面６１ｄ（請求項２記載の「端面」に対応する）に爪部６２が取り付けられているので、爪部６２を翼部６１へ取り付ける際には、爪部６２を端面６１ｄに当接させることで翼部６１に対する取り付け角度を一定とすることができる。その結果、斜辺６１ａへ爪部６２を取り付ける際の手間を省いて、拡底バケット１９の製造コストを削減することができる。
【００３９】
なお、拡底バケット１９の上面視における中心面Ｅは、請求項１記載の「円弧」に対応し、拡底バケット１９の上面視における仮想平面Ｆの延設方向は、請求項１記載の「接線方向」に対応する。
【００４０】
また、爪部６２の取り付け角度、爪部６２の突接高さ又は斜辺６１ａの外縁形状を変更することで、拡底孔Ｋ（図４参照）の外形形状の変更が可能であり、従来は、主に、爪部６２の翼部６１に対する取り付け角度を変更することで、拡底孔Ｋの（図４参照）の断面形状を変更していた。
【００４１】
これに対して、本実施の形態では、斜辺６１ａから突出される複数の爪部６２の先端を結んだ仮想線Ｌ２（図４参照）が斜辺６１ａに対して平行とされているので、掘削される拡底孔Ｋ（図４参照）の側面の断面形状線を斜辺６１ａが形成する軌跡の断面形状を転写した形状とすることができる。
【００４２】
また、拡底翼６０は、短辺６１ｃを皿部３０ｃ側（図２（ａ）及び図２（ｂ）下側）に配置した状態で、長辺６１ｂが外周壁３０ａ（図２（ｃ）参照）の外縁側に揺動（回動）可能に接続されている（図２参照）。即ち、拡底翼６０は、皿部３０ｃから連結部３０ｂへ向かう方向に先細り形状となるように配置されている（図２参照）。
【００４３】
よって、ロッド４０（図２参照）の軸心である回転中心線Ｔ２を中心として拡底バケット１９（図２参照）を回転させつつ拡底バケット１９（図２参照）の拡底翼６０を拡径させると、拡底バケット１９によって上側（図２（ｂ）参照）に先窄まりの円錐台形状に構成された拡底孔Ｋ（図４参照）が掘削される。
【００４４】
次いで、図４を参照して、拡底バケット１９が掘削する拡底孔Ｋの形状と、拡底バケット１９の拡底翼６０の形状との関係について説明する。図４は、拡底バケット１９が掘削する拡底孔Ｋの断面形状と、拡底翼６０を展開した側面形状との関係を示した関係図である。
【００４５】
なお、図４では、拡底翼６０は、高さ方向（図４矢印Ｚ１方向）に尺度を小さくした展開図として示され、拡底バケット１９は、上面図として示され、拡底バケット１９が掘削する拡底孔Ｋの一部が鉛直方向（図４矢印Ｚ２方向）に尺度を小さくした断面図として示されている。また、矢印Ｘ１及び矢印Ｚ１は、互いに直交すると共にそれぞれ長辺６１ｂ及び短辺６１ｃに平行とされており、矢印Ｘ２及び矢印Ｚ２は、拡底バケット１９によって掘削される拡底孔Ｋの水平方向および鉛直方向を示している。
【００４６】
また、拡底翼６０が拡底バケット１９へ取り付けられた状態において、外形点Ｐ０は、最も外周壁３０ａ側（図４矢印Ｚ１方向側）へ近接した位置に配設される爪部６２の先端部分を示し、外形点Ｐ４は、最も長辺６１ｂから斜辺６１ａ側（図４矢印Ｘ１方向側）へ離間した位置に配設される複数の爪部６２の内の最も外周壁３０ａ側（図４矢印Ｚ１方向側）へ離間した位置に配設される爪部６２の先端部６２ｃ（図５（ｂ）及び図５（ｄ）参照）を示しており、外形点Ｐ１、外形点Ｐ２及び外形点Ｐ３は、拡底翼６０の長手方向（矢印Ｚ１方向）において、外形点Ｐ０と外形点Ｐ４との間の間隔を４等分（それぞれが図４矢印Ｚ１方向において距離Ｄずつ離れている）する位置を示している。
【００４７】
また、拡底孔Ｋの外形点Ｑ０から外形点Ｑ４は、回転中心線Ｔ２を含む平面である切断面Ｇによって切断される断面において、外形点Ｐ０から外形点Ｐ４によってそれぞれに掘削される拡底孔Ｋの周面上の位置を示している。なお、拡底孔Ｋの周面は、請求項１記載の「内壁」に対応する。また、外形点Ｐ１，Ｐ２，Ｐ３，Ｐ４，Ｑ１，Ｑ２，Ｑ３，Ｑ４、揺動中心線Ｔ１及び回転中心線Ｔ２を黒丸にて示している。
【００４８】
拡底バケット１９は、図４に示すように、ロッド４０の軸心と一致する回転中心線Ｔ２を回転の中心として回転されると共に、拡底翼６０を拡径しつつ略円錐形状の拡底孔Ｋを掘削するものであり、掘削される拡底孔Ｋの形状は、回転中心線Ｔ２の延長方向（図４矢印Ｚ１方向、円錐の高さ方向）の所定の位置における回転中心線Ｔ２から爪部６２の先端部６２ｃ（図５（ｂ）及び図５（ｄ）参照）までの距離（回転中心Ｔ２に直交する平面上における距離Ｒ０から距離Ｒ４）によって決定される。即ち、各爪部６２先端の軌跡が掘削される拡底孔Ｋの周面の形状となる。
【００４９】
また、拡底孔Ｋの外形点Ｑ０から外形点Ｑ４は、切断面Ｇによって切断される断面において、外形点Ｐ０から外形点Ｐ４によってそれぞれに掘削される拡底孔Ｋの周面上の位置を示している。外形点Ｑ０は、拡底孔Ｋの最上端の位置を示し、外形点Ｑ４は、拡底孔Ｋの底の位置を示し、外形点Ｑ１、外形点Ｑ２及び外形点Ｑ３は、垂直方向（図４矢印Ｚ２方向）において、外形点Ｑ０、外形点Ｑ４の間を４均等分（それぞれが図４矢印Ｚ２方向において距離Ｄずつ離れている）する位置を示している。
【００５０】
拡底翼６０は、上述したように、上面視（図４紙面垂直方向視）において、湾曲形状に構成されると共に長辺６１ｂ側の部位が外周壁３０ａに揺動（回動）可能に接続されており、揺動中心線Ｔ１が揺動の中心とされている。外周壁３０ａを備える枠体３０は、ロッド４０の軸心と一致する回転中心線Ｔ２が回転の中心とされている。
【００５１】
ここで、拡底翼６０の外形点Ｐ０から外形点Ｐ４のそれぞれの回転軌跡（拡底バケット１９が回転中心線Ｔ２を中心として回転することで描かれる軌跡）について説明する。
【００５２】
外形点Ｐ０から外形点Ｐ４は、図４に示すように、各爪部６２の先端である先端部６２ｃ（図５（ｂ）及び図５（ｄ）参照）を結んだ仮想の直線である仮想線Ｌ２上に位置する点であり、揺動中心線Ｔ１の延長方向（図４矢印Ｚ１方向）において、互いに距離Ｄ離れて均等間隔に位置している。
【００５３】
拡底翼６０は、上述したように、斜辺６１ａが長辺６１ｂ側へ凹んでいるので、爪部６２の先端を結んだ仮想線Ｌ２も凹んだ形状とされる。そのため、長辺６１ｂに対して直交する方向（図４矢印Ｘ１方向）において、外形点Ｐ０と外形点Ｐ４を結んだ仮想直線Ｌ１と長辺６１ｂとの間の寸法値に対して、長辺６１ｂと外形点Ｐ１，Ｐ２，Ｐ３とを結んだ距離（寸法ｒ１、寸法ｒ２及び寸法ｒ３）を小さくすることができる。即ち、外形点Ｐ１，Ｐ２，Ｐ３は、直線Ｌ１よりも長辺６１ｂ側（図４矢印Ｘ１逆方向側）に位置している。
【００５４】
また、拡底翼６０の翼部６１は、上面視（図４紙面垂直方向視）において、揺動中心軸Ｔ２に直交する面にて切断した断面形状が湾曲形状に構成されており、外形点Ｐ４側の部位が回転中心線Ｔ２側へ巻き込んだ形状とされているので、展開状態において、長辺６１ｂからの距離が遠い翼部６１上の接線ほど回転中心線Ｔ２を中心とする径方向に対しての傾斜が大きくなる。
【００５５】
そのため、展開状態における長辺６１ｂから矢印Ｘ１方向への距離の変化に対して長辺６１ｂから離れた位置（揺動中心線Ｔ１を中心とする径方向外側の位置）の爪部６２ほど回転中心線Ｔ２から径方向へ離間する割合が減る。
【００５６】
ここで、具体的に各部分の寸法値を使って説明する。仮想線Ｌ２が凹んだ形状に構成され、その仮想線Ｌ２は、長辺６１ｂに対して外形点Ｐ０側よりも外形点Ｐ４側の部分が傾斜しているので、寸法ｒ１０、寸法ｒ２１、寸法ｒ３２、寸法ｒ４３の順に値が大きくなる（寸法ｒ１０＜寸法ｒ２１＜寸法ｒ３２＜寸法ｒ４３）。そして、翼部６１が湾曲しているため、外形点Ｐ０側よりも外形点Ｐ４の側の掘削位置が回転中心Ｔ２から径方向へ離間する度合が小さくなる。
【００５７】
よって、翼部６１の斜辺６１ａの凹み具合を調整することで仮想線Ｌ２の凹んだ形状を変化させて、寸法Ｒ１０、寸法Ｒ２１、寸法Ｒ３２及び寸法Ｒ４３を略同一の寸法（Ｒ１０＝Ｒ２１＝Ｒ３２＝Ｒ４３）とすることができる。その結果、拡底孔Ｋの外形点Ｑ０，Ｑ１，  Ｑ２，  Ｑ３，Ｑ４を結んだ線を直線形状として拡底孔Ｋを円錐台形状に構成することができる。
【００５８】
なお、寸法ｒ１０は、寸法ｒ１から寸法ｒ０を引いた差であり、寸法ｒ２１は、寸法ｒ２から寸法ｒ１を引いた差であり、寸法ｒ３２は、寸法ｒ３から寸法ｒ２を引いた差であり、寸法ｒ４３は、寸法ｒ４から寸法ｒ３を引いた差である。
【００５９】
また、寸法Ｒ１０は、半径Ｒ１から半径Ｒ０を引いた差であり、寸法Ｒ２１は、半径Ｒ２から半径Ｒ１を引いた差であり、寸法Ｒ３２は、半径Ｒ３から半径Ｒ２を引いた差であり、寸法Ｒ４３は、半径Ｒ４から半径Ｒ３を引いた差である。
【００６０】
例えば、斜辺６１ａが直線状に構成されていた場合には、拡底翼６０の展開状態における距離（湾曲面に沿って図った距離）であって、長辺６１ｂから離れた位置（揺動中心線Ｔ１を中心とする径方向外側の位置）の爪部６２ほど翼部６１上における長辺６１ｂからの距離に対して径方向へ離間する割合が減るように構成されているので、拡底バケット１９によって掘削される拡底孔Ｋの断面形状（切断面Ｇによって切断された面）の斜辺は直線形状ではなく、外側（図４右側）に突の弓形形状となる。即ち、拡底孔Ｋ（図４参照）の形状は皿部３０ｃ側の径方向の広がりが抑えられた釣鐘型の形状となる。
【００６１】
この場合、杭を成型するために、拡底孔Ｋにセメントを流し込むと釣鐘型の側面の膨らんだ部分にもセメントが充填される。この膨らんだ部分は、杭の強度に寄与しない部位であり、セメントが無駄となり、施工コストが嵩むという不具合がある。また、膨らんだ分だけ、土砂を掘削する手間と拡底孔Ｋから土砂を搬出する手間が掛っており、施工効率が悪化するという不具合がある。
【００６２】
これに対して、本実施の形態では、斜辺６１ａが長辺６１ｂ側（図３（ｂ）左側）へ凹んだ弓形形状として構成されているので、切断面Ｇにおける拡底孔Ｋの斜辺の一部が外側に突出する分をあらかじめ見込んで凹ませることができる。
【００６３】
よって、回転中心線Ｔ２を中心に拡底バケット１９を回転させる場合に、拡底孔Ｋの膨み分を見込んで、翼部６１の斜辺６１ａを長辺６１ｂ側へ凹ませる度合いを調整することで、寸法値Ｒ１０、寸法値Ｒ２１、寸法値Ｒ３２及び寸法値Ｒ４３を同一値とすることができる。その結果、切断面Ｇによって切断される断面における拡底孔Ｋの斜辺を直線形状に構成される略円錐形状とすることができる。
【００６４】
その結果、余分なセメントの充填を防止して施工コストの削減を図ると共に土砂を掘削する手間と拡底孔Ｋから土砂を搬出する手間とを省いて、施工効率の向上を図ることができる。
【００６５】
次いで、図５を参照して、翼部６１に対する爪部６２の取り付け向きについて説明する。図５（ａ）は、拡底バケット１９の上面を模式的に示した上面模式図であり、図５（ｂ）は、図５（ａ）のＶｂ部を拡大して示した拡底翼６０の部分拡大図であり、図５（ｃ）は、拡底バケット１９の上面を模式的に示した上面模式図であり、図５（ｄ）は、図５（ｃ）のＶｄ部を拡大して示した拡底翼６０の部分拡大図である。
【００６６】
上述したように、爪部６２は、翼部６１の斜辺６１ａ（図３（ｂ）参照）の端面６１ｄから突出されており、それら爪部６２の突出方向（底面６２ａから先端部６２ｃへ向かう方向）は、上面視（図５紙面垂直方向視）において、仮想平面Ｆに平行とされている。その仮想平面Ｆは、上述したように、中心面Ｅに接する平面であり、その中心面Ｅと仮想平面Ｆとが接する接線Ｔ４（図５紙面垂直方向へ延設される直線）が斜辺６１ａの端面６１ｄと中心面Ｅとの交線Ｔ５に一致される。
【００６７】
そして、図４（ｄ）に示すように、拡底翼６０が拡径されていくことで、仮想平面Ｆは、外周軌跡Ｐ１に対して所定の角度βを成して交差し、図４（ｂ）に示すように、拡底バケット１９が最大径に拡径した状態において、外周軌跡Ｐ２に対して角度αを成す。
【００６８】
また、爪部６２は、上面視（図５紙面垂直方向視）において、仮想平面Ｆを境に対称に構成されており、仮想平面Ｆ上に位置する先端部６２ｃの角度が角度γとされている。そのため、角度βが爪の角度γの１／２より小さい状態では、爪部６２の先端部ではなく、爪部６２の側面が拡底孔Ｋの周面に当接されるので、掘削効率が悪化する。しかし、縦孔を若干大きく形成して、角度βが度γの１／２より大きくなった状態から縦孔の周面に爪部６２が当接されるようにすることで、爪部６２の先端部分を縦孔の周面に最初に当接させることができる。よって、爪部６２の先端部分を縦孔の周面に当接させることで、効率よく拡底孔Ｋを掘削することができる。
【００６９】
なお、複数の爪部６２は、すべての爪部６２が翼部６１の端面６１ｄから突出されており、それら爪部６２の突出方向（底面６２ａから先端部６２ｃへ向かう方向）は、上面視（図５紙面垂直方向視）において、仮想平面Ｆに平行とされているので、すべての爪部６２の先端部分を拡底孔Ｋの周面に当接させることができる。
【００７０】
例えば、翼部６１の斜辺６１ａ（図３（ｂ）参照）を直線状に形成し、斜辺６１ａから突出される爪部６２の突出方向（底面６２ａから先端部６２ｃへ向かう方向）を仮想平面Ｆに平行とした場合には、拡底孔Ｋが釣鐘形状に掘削され、釣鐘状に膨らんだ分、余分なセメントを流し込むことになり、コストが嵩むという不具合がある。そのため、釣鐘の膨らんだ部分を掘削する爪部６２の取り付け角度を変更することで、拡底孔Ｋを円錐台形状とし、余分なセメントの流し込み量を低減していた。
【００７１】
この場合、各爪部６２毎に取り付け角度が異なるので、翼部６１に爪部６２を取り付ける際には、位置決め用の治具を翼部６１の周りに組んで、その治具を基準に爪部６２の翼部６１に対する位置出しを行っていた。そのため、爪部６２を翼部６１へ取り付ける作業に手間がかかるという不具合がある。
【００７２】
また、斜辺６１ａの端面６１ｄに対して爪部６２の底面６２ａを傾けるので、端面６１ｄと底面６２ａとの間に隙間ができ、溶接作業が困難となる。そこで、隙間を埋めるための入れ子を挿入すると入れ子を挿入する工数と、入れ子を溶かすための時間が必要となり、溶接作業に時間が掛るという不具合がある。
【００７３】
これに対し、本実施の形態では、翼部６１の斜辺６１ａが長辺６１ｂ側に凹んだ形状として構成されているので、複数の爪部６２の突出方向をすべて仮想平面Ｆに平行としつつ、爪部６２の先端部６２ｃを結んだ仮想線Ｌ２を長辺６１ｂ側へ凹んだ形状とすることで、拡底孔Ｋを円錐台形状とすることができる。
【００７４】
よって、複数の爪部６２は、底面６２ａを斜辺６１ａの端面６１ｄに当接させることで、取り付け向きが決められるので、取り付け向きを決める手間を省くことができると共に掘削される拡底孔Ｋの形状を円錐台形状とすることで、拡底孔Ｋへの余分なセメントの注入を防止することができる。
【００７５】
ここで、図３に戻って、拡底翼６０の製造方法について説明する。拡底翼６０は、平板に翼部６１の外形を示した切断線をけがいてから、その平面を円弧形状に曲げる。斜辺６１ａの形状を示す切断線は、複数の直線を組み合わせて構成され長辺６１ｂ側へ凹んだ弓型形状として構成されている。
【００７６】
その後、切断線に沿って、平板を切断することで、翼部６１を切り出す。この場合、切断線は直線の組み合わせにて近似的な曲線形状（請求項２記載の「端縁部の曲線形状」に対応する）として構成されているので、斜辺６１ａの切断面である端面６１ｄは、平面を組み合わせて構成された近似曲面となる。よって、爪部６２の底面６２ａ（図５（ｂ）及び図５（ｄ）参照）を端面６１ｄに当接させることで、爪部６２の取り付け向きを固定することができる。
【００７７】
また、底面６２ａが端面６１ｄに当接されることで爪部６２の取り付け向きを固定することができるので、端面６１ｄは、仮想平面Ｆに対して傾いても良く、近似的な曲線を構成する平坦面がそれぞれ異なる向きを向いていてもその傾きのばらつきはある程度許容される。この場合、端面６１ｄに爪部６２の底面６２ａを当接させて爪部６２を翼部６１に固定しても、各爪部６２毎の取り付け角度の違いが小さいので、各爪部６２の底面６２ｃを端面６１ｄに当接させて固定しても、爪部６２の取り付け精度への影響は小さい。よって、端面６１ｄに当接させて固定することで、爪部６２の取り付けの手間を省くことができる。なお、端面６１ｄは、仮想平面Ｆに対して必ずしも直交している必要はなく、多少傾いても良い。
【００７８】
また、端面６１ｄは、仮想平面Ｆと直交するように切断されており、爪部６２の底面６２ａを端面６１ｄに当接させることで、爪部６２の底面６２ａと先端部６２ｃとを結んだ方向を仮想平面Ｆと平行とすることができる。よって、爪部６２の先端部６２ｃが掘削時に受ける力を効率よく翼部６１に伝えることができるので、翼部６１及び翼部６１と爪部６２との接続部分に高い応力が発生することを防いで、拡底バケット１９の耐久性の向上を図ることができる。
【００７９】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００８０】
例えば、上記各実施の形態で挙げた数値（例えば、各構成の数量や寸法・角度など）は一例を示すものであり、他の数値を採用することは当然可能である。
【００８１】
上記実施の形態では、爪部６２の底面６２ａから先端部６２ｃを結んだ方向が仮想平面Ｆに平行とされる場合を説明したが、必ずしもこれに限られるものではなく、爪部６２の底面６２ａから先端部６２ｃを結んだ方向が仮想平面Ｆに対して角度を有しても良い。
【００８２】
また、上記実施例では、端面６１ｄが仮想平面Ｆに対して直交する場合を説明したが、必ずしもこれに限られるものではなく、拡底翼６０が拡底バケット１９に組みつけられた状態において、端面６１ｄが回転中心線Ｔ２側に面するように仮想平面Ｆに対して傾斜する構成としても良い。
【００８３】
この場合、端面６１ｄが仮想平面Ｆに対して直交する場合と比べて、爪部６２と翼部６１との接続部分（底面６２ａ及び端面６１ｄが当接された部分）に作用する力の内の接続部分に平行に作用するせん断力を低減し、接続部分に直角に作用する圧縮力を増加させることができる。よって、接合部分のせん断破壊を防止して、拡底翼６０の耐久性の向上を図ることができる。
【００８４】
また、端面６１ｄが傾いている分、接合長さを確保することができるので、せん断力に対する強度を向上させることができる。よって、接合部分のせん断破壊を防止して、拡底翼６０の耐久性の向上を図ることができる。
【００８５】
また、上記実施の形態では、拡底翼６０が上面視において、湾曲形状に構成される場合を説明したが、必ずしもこれに限られるものではなく、拡底翼６０の一部に直線部分を有する構成としても良い。
【符号の説明】
【００８６】
１              アースドリル機
１９            拡底バケット
２１            アクチュエータ（開閉機構の一部）
３０            枠体（本体）
４０            ロッド（開閉機構の一部）
５０            スラスタ（開閉機構の一部）
６０            拡底翼
６１            翼部（板状体）
６１ａ          斜辺（一方の端縁部）
６１ｂ          長辺（他方の端縁部）
６１ｄ          端面
６２            爪部（爪）
６２ａ          底面（爪の基部側の端面）
７０            リンク（開閉機構の一部）
【図１】
2010180570.tif 000003
【図２】
2010180570.tif 000004
【図３】
2010180570.tif 000005
【図４】
2010180570.tif 000006
【図５】
2010180570.tif 000007